【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
ガンマ補正を行うための複数の基準電圧を発生する基準電圧発生回路であって、
前記複数の基準電圧を発生するためのガンマ補正データが設定される第１〜第Ｊ（Ｊは２以上の整数）のガンマ補正データレジスタと、
前記第１〜第Ｊのガンマ補正データレジスタのいずれか１つに設定されたガンマ補正データに基づいて、電位の高い順又は電位の低い順に並ぶ第１〜第Ｌ（Ｌは３以上の整数）の選択用電圧の中から選択されたＫ種類の選択用電圧を、電位の高い順又は電位の低い順に第１〜第Ｋ（ＫはＬより小さい自然数）の基準電圧として出力するための基準電圧選択回路とを含み、
前記第１〜第Ｋの基準電圧を前記複数の基準電圧として出力することを特徴とする基準電圧発生回路。
【請求項２】
請求項１において、
シリアルに入力された前記ガンマ補正データを所与のビット数のパラレルデータに変換するシリアル／パラレル変換回路と、
前記パラレルデータの各ビットの信号レベルを変換するレベルシフタとを含み、
前記第１〜第Ｊのガンマ補正データレジスタの各ガンマ補正データレジスタには、前記ビット数単位に、前記レベルシフタによって信号レベルが変換された前記パラレルデータが設定されることを特徴とする基準電圧発生回路。
【請求項３】
請求項１又は２において、
前記第１〜第Ｊのガンマ補正データレジスタのいずれに前記ガンマ補正データを設定するかを指定するためのデータ設定レジスタを含み、
前記第１〜第Ｊのガンマ補正データレジスタのうち、前記データ設定レジスタの設定値に対応したガンマ補正データレジスタに、前記レベルシフタによって信号レベルが変換された前記ガンマ補正データを設定することを特徴とする基準電圧発生回路。
【請求項４】
請求項１乃至３のいずれかにおいて、
前記第１〜第Ｊのガンマ補正データレジスタのいずれからガンマ補正データを出力するかを指定するための出力設定レジスタを含み、
前記第１〜第Ｊのガンマ補正データレジスタのうち、前記出力設定レジスタの設定値に対応したガンマ補正データレジスタに設定されたガンマ補正データを前記基準電圧選択回路に出力することを特徴とする基準電圧発生回路。
【請求項５】
請求項１乃至４のいずれかにおいて、
極性反転駆動方式により所与の極性反転周期で前記複数の基準電圧の電圧レベルを変更する場合に、
前記第１〜第Ｊのガンマ補正データレジスタのうち正極性の駆動期間において選択されるガンマ補正データレジスタと、前記第１〜第Ｊのガンマ補正データレジスタのうち負極性の駆動期間において選択されるガンマ補正データレジスタとを異ならせることを特徴とする基準電圧発生回路。
【請求項６】
請求項１乃至５のいずれかにおいて、
前記基準電圧選択回路が、
第１の選択用電圧を前記第１の基準電圧として出力するための第１のスイッチ素子と、
第２の選択用電圧を前記第１の基準電圧として出力するための第２のスイッチ素子と、
第２の選択用電圧を前記第２の基準電圧として出力するための第３のスイッチ素子と、
第３の選択用電圧を前記第２の基準電圧として出力するための第４のスイッチ素子とを含み、
前記第１のスイッチ素子が、
前記ガンマ補正データの第１のビットのデータによりイネーブルに設定されたことを条件に、前記第１の選択用電圧を前記第１の基準電圧として出力し、
前記第２のスイッチ素子が、
前記ガンマ補正データの第１のビットのデータによりディセーブルに設定され、且つ前記ガンマ補正データの第２のビットのデータによりイネーブルに設定されたことを条件に、前記第２の選択用電圧を前記第１の基準電圧として出力し、
前記第３のスイッチ素子が、
前記ガンマ補正データの第１のビットのデータによりイネーブルに設定され、且つ前記ガンマ補正データの第２のビットのデータによりイネーブルに設定されたことを条件に、前記第２の選択用電圧を前記第２の基準電圧として出力し、
前記第４のスイッチ素子が、
前記ガンマ補正データの第１のビットのデータによりイネーブルに設定され、且つ前記ガンマ補正データの第２のビットのデータによりディセーブルに設定され、且つ前記ガンマ補正データの第３のビットのデータによりイネーブルに設定されたことを条件に、前記第３の選択用電圧を前記第２の基準電圧として出力し、
前記基準電圧選択回路が、
前記第１〜第Ｋの基準電圧のうち少なくとも前記第１及び第２の基準電圧を出力することを特徴とする基準電圧発生回路。
【請求項７】
請求項６において、
各スイッチセルが、第１〜第４のスイッチ素子の各スイッチ素子を有する第１〜第４のスイッチセルを含み、
前記第１のスイッチセルが、
前記ガンマ補正データの第１のビットのデータによりイネーブルに設定されたとき、前記第２のスイッチセルへのディセーブル信号をアクティブにすると共に、前記第３のスイッチセルへのイネーブル信号をアクティブにし、
前記ガンマ補正データの第１のビットのデータによりディセーブルに設定されたとき、前記第２のスイッチセルへのディセーブル信号を非アクティブにすると共に、前記第３のスイッチセルへのイネーブル信号を非アクティブにし、
前記第２のスイッチセルが、
前記ガンマ補正データの第２のビットのデータによりイネーブルに設定され、且つ前記第１のスイッチセルからのディセーブル信号が非アクティブであることを条件に前記第２の選択用電圧を前記第１の基準電圧として出力すると共に、前記第４のスイッチセルへのイネーブル信号をアクティブにし、
それ以外のときには、前記第４のスイッチセルへのイネーブル信号を非アクティブにし、
前記第３のスイッチセルが、
前記ガンマ補正データの第２のビットのデータによりイネーブルに設定され、且つ前記第１のスイッチセルからのイネーブル信号がアクティブであることを条件に前記第２の選択用電圧を前記第２の基準電圧として出力すると共に、前記第４のスイッチセルへのディセーブル信号をアクティブにし、
それ以外のときには、前記第４のスイッチセルへのディセーブル信号を非アクティブにし、
前記第４のスイッチセルが、
前記ガンマ補正データの第３のビットのデータによりイネーブルに設定され、且つ前記第３のスイッチセルからのディセーブル信号が非アクティブであり、且つ前記第２のスイッチセルからのイネーブル信号がアクティブであることを条件に前記第３の選択用電圧を前記第２の基準電圧として出力することを特徴とする基準電圧発生回路。
【請求項８】
請求項１乃至６のいずれかにおいて、
前記基準電圧選択回路が、
前記第１の選択用電圧を前記第１の基準電圧として出力するための第１のスイッチ素子を有する第１のスイッチセルと、
前記第２の選択用電圧を前記第１の基準電圧として出力するための第２のスイッチ素子を有する第２のスイッチセルと、
前記第２の選択用電圧を前記第２の基準電圧として出力するための第３のスイッチ素子を有する第３のスイッチセルと、
前記第３の選択用電圧を前記第２の基準電圧として出力するための第４のスイッチ素子を有する第４のスイッチセルとを含み、
前記第１のスイッチセルは、
前記ガンマ補正データの第１のビットのデータが供給されると共に、前記第２及び第３のスイッチセルに対してイネーブル信号を出力し、
前記第２のスイッチセルは、
前記ガンマ補正データの第２のビットのデータが供給されると共に、前記第３及び第４のスイッチセルに対してイネーブル信号を出力し、
前記第３のスイッチセルは、
前記ガンマ補正データの第２のビットのデータが供給されると共に、前記第４のスイッチセルに対してイネーブル信号を出力し、
前記第４のスイッチセルは、
前記ガンマ補正データの第３のビットのデータが供給され、
前記基準電圧選択回路が、
前記第１〜第Ｋの基準電圧のうち少なくとも前記第１及び第２の基準電圧を出力することを特徴とする基準電圧発生回路。
【請求項９】
電気光学装置の複数のデータ線を駆動するための表示ドライバであって、
請求項１乃至８のいずれか記載の基準電圧発生回路と、
前記基準電圧発生回路からの前記第１〜第Ｋの基準電圧の中から、階調データに対応した基準電圧を選択し、データ電圧として出力する電圧選択回路と、
前記データ電圧に基づいて前記データ線を駆動する駆動回路とを含むことを特徴とする表示ドライバ。
【請求項１０】
複数の走査線と、
複数のデータ線と、
前記複数の走査線の１つと前記複数のデータ線の１つとにより特定される画素電極と、
前記複数の走査線を走査する走査ドライバと、
前記複数のデータ線を駆動する請求項９記載の表示ドライバとを含むことを特徴とする電気光学装置。
【請求項１１】
請求項９記載の表示ドライバを含むことを特徴とする電子機器。
【請求項１２】
請求項１０記載の電気光学装置を含むことを特徴とする電子機器。